【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
被写体像を光電変換して画像信号を出力する撮像手段と、
シャッター手段による前記撮像手段の露光時間を制御する露光時間制御手段と、
前記撮像手段から出力された前記画像信号に基づく画像を表示する表示手段と、
静止画撮影が指示された場合に、適正露出となるように少なくとも前記撮像手段の露光時間を含む露出値を設定する露出設定手段と、を有し、
前記露光時間制御手段は、前記撮像手段から周期的に出力される前記画像信号に基づく画像を前記表示手段に順次表示している際に静止画撮影が指示された場合、前記表示手段に前記画像を表示していない際に静止画撮影が指示された場合よりも、前記露出設定手段が設定可能な静止画撮影時の最短露光時間を長くすることを特徴とする撮像装置。
【請求項２】
被写体像を光電変換して画像信号を出力する撮像手段と、
シャッター手段による前記撮像手段の露光時間を制御する露光時間制御手段と、
前記撮像手段から出力された前記画像信号に基づく画像を表示する表示手段と、
前記撮像手段から周期的に出力される前記画像信号に基づく画像を前記表示手段に順次表示を開始してからの経過時間を計測する計測手段と、
静止画撮影が指示された場合に、適正露出となるように少なくとも前記撮像手段の露光時間を含む露出値を設定する露出設定手段と、を有し、
前記露光時間制御手段は、前記撮像手段から周期的に出力される前記画像信号に基づく画像を前記表示手段に順次表示している際に静止画撮影が指示された場合、静止画撮影が指示されるまでに前記計測手段により計測された前記経過時間が長いほど、前記露出設定手段が設定可能な静止画撮影時の最短露光時間を長くすることを特徴とする撮像装置。
【請求項３】
前記露出設定手段により設定された静止画撮影時の露光時間が前記最短露光時間よりも短い場合、静止画撮影を禁止する制御手段を更に有することを特徴とする請求項１または２に記載の撮像装置。
【請求項４】
被写体像を光電変換して画像信号を出力する撮像手段と、前記撮像手段から出力された前記画像信号に基づく画像を表示する表示手段と、を有する撮像装置の制御方法であって、
前記撮像手段から周期的に出力される前記画像信号に基づく画像を前記表示手段に順次表示する表示工程と、
静止画撮影が指示された場合に、適正露出となるように少なくともシャッター手段により制御される前記撮像手段の露光時間を含む露出値を設定する露出設定工程と、
前記表示工程を行っている際に静止画撮影が指示された場合、前記表示手段に前記画像を表示していない際に静止画撮影が指示された場合よりも、前記露出設定工程で設定可能な前記撮像手段の静止画撮影時の最短露光時間を長くする露光時間制御工程と、を有することを特徴とする撮像装置の制御方法。
【請求項５】
被写体像を光電変換して画像信号を出力する撮像手段と、前記撮像手段から出力された前記画像信号に基づく画像を表示する表示手段と、を有する撮像装置の制御方法であって、
静止画撮影が指示された場合に、適正露出となるように少なくともシャッター手段により制御される前記撮像手段の露光時間を含む露出値を設定する露出設定工程と、
前記撮像手段から周期的に出力される前記画像信号に基づく画像を前記表示手段に順次表示する表示工程と、
前記表示工程を開始してからの経過時間を計測する計測工程と、
前記撮像手段から周期的に出力される前記画像信号に基づく画像を前記表示手段に順次表示している際に静止画撮影が指示された場合、静止画撮影が指示されるまでに前記計測工程により計測された前記経過時間が長いほど、前記露出設定工程で設定可能な前記撮像手段の静止画撮影時の最短露光時間を長くする露光時間制御工程と、を有することを特徴とする撮像装置の制御方法。
【手続補正２】
【補正対象書類名】明細書
【補正対象項目名】００１７
【補正方法】変更
【補正の内容】
【００１７】
上述した目的を達成するために、本発明の撮像装置は、被写体像を光電変換して画像信号を出力する撮像手段と、シャッター手段による前記撮像手段の露光時間を制御する露光時間制御手段と、前記撮像手段から出力された前記画像信号に基づく画像を表示する表示手段と、静止画撮影が指示された場合に、適正露出となるように少なくとも前記撮像手段の露光時間を含む露出値を設定する露出設定手段と、を有し、前記露光時間制御手段は、前記撮像手段から周期的に出力される前記画像信号に基づく画像を前記表示手段に順次表示している際に静止画撮影が指示された場合、前記表示手段に前記画像を表示していない際に静止画撮影が指示された場合よりも、前記露出設定手段が設定可能な静止画撮影時の最短露光時間を長くすることを特徴とする。
【手続補正３】
【補正対象書類名】明細書
【補正対象項目名】００１８
【補正方法】変更
【補正の内容】
【００１８】
また、上述した目的を達成するために、本発明の撮像装置は、被写体像を光電変換して画像信号を出力する撮像手段と、シャッター手段による前記撮像手段の露光時間を制御する露光時間制御手段と、前記撮像手段から出力された前記画像信号に基づく画像を表示する表示手段と、前記撮像手段から周期的に出力される前記画像信号に基づく画像を前記表示手段に順次表示を開始してからの経過時間を計測する計測手段と、静止画撮影が指示された場合に、適正露出となるように少なくとも前記撮像手段の露光時間を含む露出値を設定する露出設定手段と、を有し、前記露光時間制御手段は、前記撮像手段から周期的に出力される前記画像信号に基づく画像を前記表示手段に順次表示している際に静止画撮影が指示された場合、静止画撮影が指示されるまでに前記計測手段により計測された前記経過時間が長いほど、前記露出設定手段が設定可能な静止画撮影時の最短露光時間を長くすることを特徴とする。
【手続補正４】
【補正対象書類名】明細書
【補正対象項目名】００１９
【補正方法】変更
【補正の内容】
【００１９】
また、上述した目的を達成するために、被写体像を光電変換して画像信号を出力する撮像手段と、前記撮像手段から出力された前記画像信号に基づく画像を表示する表示手段と、を有する本発明の撮像装置の制御方法は、前記撮像手段から周期的に出力される前記画像信号に基づく画像を前記表示手段に順次表示する表示工程と、静止画撮影が指示された場合に、適正露出となるように少なくともシャッター手段により制御される前記撮像手段の露光時間を含む露出値を設定する露出設定工程と、前記表示工程を行っている際に静止画撮影が指示された場合、前記表示手段に前記画像を表示していない際に静止画撮影が指示された場合よりも、前記露出設定工程で設定可能な前記撮像手段の静止画撮影時の最短露光時間を長くする露光時間制御工程と、を有することを特徴とする。
【手続補正５】
【補正対象書類名】明細書
【補正対象項目名】００２０
【補正方法】変更
【補正の内容】
【００２０】
また、上述した目的を達成するために、被写体像を光電変換して画像信号を出力する撮像手段と、前記撮像手段から出力された前記画像信号に基づく画像を表示する表示手段と、を有する撮像装置の本発明の制御方法は、静止画撮影が指示された場合に、適正露出となるように少なくともシャッター手段により制御される前記撮像手段の露光時間を含む露出値を設定する露出設定工程と、前記撮像手段から周期的に出力される前記画像信号に基づく画像を前記表示手段に順次表示する表示工程と、前記表示工程を開始してからの経過時間を計測する計測工程と、前記撮像手段から周期的に出力される前記画像信号に基づく画像を前記表示手段に順次表示している際に静止画撮影が指示された場合、静止画撮影が指示されるまでに前記計測工程により計測された前記経過時間が長いほど、前記露出設定工程で設定可能な前記撮像手段の静止画撮影時の最短露光時間を長くする露光時間制御工程と、を有することを特徴とする。
【手続補正６】
【補正対象書類名】明細書
【補正対象項目名】００８８
【補正方法】変更
【補正の内容】
【００８８】
ステップＳ１５８では、シャッタースピードＴｖ（ｘ）での絞りＡｖ（ｘ）を式（３）により計算する。
Ａｖ（ｘ）＝√（２Ｅｖ×Ｔｖ（ｘ））      …（３）
【手続補正７】
【補正対象書類名】明細書
【補正対象項目名】００９２
【補正方法】変更
【補正の内容】
【００９２】
また、ステップＳ１６２では、自動設定する絞りＡｖ（ｘ）を最小小絞りとし、ステップＳ１６３に進んで、絞りＡｖでのシャッタースピードＴｖを式（４）により計算する。
Ｔｖ＝Ａｖ２／２ＥＶ      …（４）
【手続補正８】
【補正対象書類名】明細書
【補正対象項目名】００９６
【補正方法】変更
【補正の内容】
【００９６】
ここで、絞りＡｖは手ブレ限界シャッタースピードＴｖ（ｆ）で計算された絞りＡｖ（ｘ）よりも小絞り側なので、ステップＳ１６８で計算されたシャッタースピードＴｖは手ブレ限界シャッタースピードＴｖ（ｆ）よりも遅くなる。そのため、ステップＳ１６９で、手ブレ警告を液晶モニタ１４や不図示のファインダ内表示装置に表示してＴＶ‐ＡＥ動作（ステップＳ１２９）を終了する。
【手続補正９】
【補正対象書類名】明細書
【補正対象項目名】０１３６
【補正方法】変更
【補正の内容】
【０１３６】
なお、ＳｖはＩＳＯ感度、Ｋは固定の露出定数である。
ステップＳ２６６では、図９のステップＳ１５８と同様に、シャッタースピードＴｖ（ｘ）での絞りＡｖ（ｘ）を上述した式（３）により計算する。
Ａｖ（ｘ）＝√（２Ｅｖ×Ｔｖ（ｘ））      …（３）
【手続補正１０】
【補正対象書類名】明細書
【補正対象項目名】０１４０
【補正方法】変更
【補正の内容】
【０１４０】
また、ステップＳ２７０では、自動設定する絞りＡｖを最小小絞りとし、ステップＳ２７１に進んで、絞りＡｖでのシャッタースピードＴｖを図９のステップＳ１６２と同様に式（４）により計算する。
Ｔｖ＝Ａｖ２／２ＥＶ      …（４）
【手続補正１１】
【補正対象書類名】図面
【補正対象項目名】図１１
【補正方法】変更
【補正の内容】
【図１１】
2008205618.tif 000001